(57)【要約】【課題】入退室管理システムにおける設置レイアウト変更の影響情報を迅速かつ効率的にユーザに提供する。【解決手段】情報処理装置が、所定領域の入退室管理システムを構成する機器のレイアウト情報を記憶部より読み取る処理と、入退室管理システムのレイアウト中での変更シナリオを入力部より受け付ける処理と、変更シナリオが機器等の追加ないし変更を示す場合、機能情報を格納した製品情報テーブルに変更内容を照合し、変更内容の要求を満たす機能を備えた候補機器を特定し変更場所への候補機器の追加または変更場所における置換の表示を行い、指定情報が機器等の削除を示す場合、変更場所の機器の削除を行い、変更構成案として出力部に表示する処理と、変更構成案についての運用条件を製品情報テーブルにおける機器の機能情報に適用して運用条件下で機器が稼働した際の挙動をシミュレーションし結果を変更構成案の表示中に出力する処理とを実行する。【選択図】図１
2011227774.tif 000002
【特許請求の範囲】
【請求項１】
入退室管理システムの変更管理による影響を分析する情報処理装置が、
所定領域の入退室管理システムを構成する機器のレイアウト情報を記憶部より読み取る処理と、
前記レイアウト情報を出力部に表示し、入退室管理システムのレイアウト中での構成の変更場所および変更内容を含む変更シナリオを入力部より受け付ける処理と、
前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部に表示する処理と、
前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、
を実行する変更管理分析方法。
【請求項２】
前記情報処理装置が、
前記変更シナリオに基づく機器の追加ないし置換または削除、或いは前記シミュレーションにより判明した所定の運用条件下での機器の停止ないし交換、のおよぶ影響箇所、影響範囲、およびその影響内容の少なくともいずれかの情報を、前記変更構成案の表示中に強調表示する、
ことを特徴とする請求項１に記載の変更管理分析方法。
【請求項３】
前記情報処理装置が、
前記変更シナリオが機器または機能の追加ないし変更を示す場合、前記製品情報テーブルに前記変更内容を照合し、変更内容の要求を満たす機能を備えた候補機器を複数特定し、候補機器毎に前記レイアウト中の前記変更場所への候補機器の追加または前記変更場所における既存機器と候補機器との置換の表示を行って、前記変更シナリオを満たす変更構成案を複数生成し出力部に表示する処理と、
前記シミュレーションを各変更構成案について実行し、変更構成案毎のシミュレーション結果を該当変更構成案の表示中に出力する処理と、
操作者が最適と判断した変更構成案の指定を入力部で受け付けて、該当変更構成案を最適案として出力部に表示する処理とを実行する、
ことを特徴とする請求項１または２に記載の変更管理分析方法。
【請求項４】
前記情報処理装置が、
各変更構成案が示す追加ないし変更または削除の対象となっている機器について、前記製品情報テーブルより追加ないし変更または削除に際しての必要費用のデータを読み出し、この必要費用を変更構成案毎に合算して見積り価格を算定し、該当変更構成案の表示中に出力する処理を実行する、
ことを特徴とする請求項３に記載の変更管理分析方法。
【請求項５】
前記情報処理装置が、
前記レイアウト情報が含む場所情報のリストを選択可能に表示し、この場所リスト中より前記変更場所の選択を受け付け、記憶部に予め保持している変更内容のリストを選択可能に表示し、この変更内容リスト中より前記変更内容の選択を受け付けることで、前記変更シナリオを受け付ける処理と、
前記レイアウト情報が含む場所情報のリストを選択可能に表示し、この場所リスト中より前記運用条件のうち場所の選択を受け付け、記憶部に予め保持している運用内容のリストを選択可能に表示し、この運用内容リスト中より前記運用条件のうち運用内容の選択を受け付けることで、前記運用条件の指定を受け付ける処理と、
を実行することを特徴とする請求項１〜４のいずれかに記載の変更管理分析方法。
【請求項６】
前記情報処理装置が、
前記変更場所の選択を受け付ける前記場所情報のリストと、前記変更内容の選択を受け付ける変更内容のリストとを格納している変更シナリオテーブルを記憶部に保持しており、
入力部ないしネットワークで通信可能に結ばれた他装置より、前記変更シナリオテーブルにおける前記場所情報のリストへの場所情報追加、ないし前記変更内容のリストへの変更内容追加を受け付けて、前記変更シナリオテーブルを更新する処理を実行する、
ことを特徴とする請求項５に記載の変更管理分析方法。
【請求項７】
前記情報処理装置が、
入力部ないしネットワークで通信可能に結ばれた他装置より、前記製品情報テーブルへの機器ないし機能の情報追加を受け付けて、前記製品情報テーブルを更新する処理を実行する、
ことを特徴とする請求項５または６に記載の変更管理分析方法。
【請求項８】
前記情報処理装置が、
前記運用条件のうち場所の選択を受け付ける前記場所情報のリストと、前記運用内容のリストとを格納している運用シナリオテーブルを記憶部に保持しており、
入力部ないしネットワークで通信可能に結ばれた他装置より、前記運用シナリオテーブルにおける前記場所情報のリストへの場所情報追加、ないし前記運用内容のリストへの運用内容追加を受け付けて、前記運用シナリオテーブルを更新する処理を実行する、
ことを特徴とする請求項５〜７のいずれかに記載の変更管理分析方法。
【請求項９】
入退室管理システムの変更管理による影響を分析する情報処理装置であって、
所定領域の入退室管理システムを構成する機器のレイアウト情報を記憶部より読み取る構成情報入力部と、
前記レイアウト情報を出力部に表示し、入退室管理システムのレイアウト中での構成の変更場所および変更内容を含む変更シナリオを入力部より受け付ける変更シナリオ入力部と、
前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部に表示する影響箇所分析部と、
前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する運用シミュレーション部と、
を備える変更管理分析装置。
【請求項１０】
入退室管理システムの変更管理による影響を分析する情報処理装置に、
所定領域の入退室管理システムを構成する機器のレイアウト情報を記憶部より読み取る処理と、
前記レイアウト情報を出力部に表示し、入退室管理システムのレイアウト中での構成の変更場所および変更内容を含む変更シナリオを入力部より受け付ける処理と、
前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部に表示する処理と、
前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、
を実行させる変更管理分析プログラム。
【発明の詳細な説明】
【技術分野】
【０００１】
本発明は、変更管理分析方法、変更管理分析装置、および変更管理分析プログラムに関するものであり、具体的には、入退室管理システムにおける設置レイアウト変更の影響情報を迅速かつ効率的にユーザに提供できる技術に関する。
【背景技術】
【０００２】
入退室管理システムは、企業や組織におけるセキュリティ対策において、物理セキュリティの中核的な役割をなす。こうした入退室管理システムの導入以前では、建屋の入り口や部屋のドアなどに物理的な錠前をつけておき、その錠前をあけるための鍵を総務部や守衛所などで管理していた。この場合、通行者は台帳に記入してその鍵を貸し出し・返却することが多かった。一方、入退室管理システムの導入以降では、建屋の入り口や部屋のドアなどに認証装置を設置し、予め通行者に非接触ＩＣカードなどを配布しておき、下記に示すような方法で通行者を制限するようになった。  
・テンキー入力装置を設置しておき、所定の秘密コードが入力された場合に、ドアを解錠する。  
・非接触ＩＣカードリーダを設置しておき、所定のＩＣカードがかざされた場合に、ドアを解錠する。  
・バイオメトリクス（指紋、静脈、顔、虹彩、声紋など）のセンサを設置しておき、所定のバイオメトリクスが提示された場合に、ドアを解錠する。  
・インターフォンを用意しておき、部屋にいる秘書が会話によって正しい通行者と判断した場合に、解錠ボタンを押下してドアが解錠する。
【０００３】
このような入退室管理システムは、建屋や部屋のレイアウト、必要なセキュリティレベルに応じて設置される。建屋や部屋のレイアウトは企業や組織ごとに異なり、入退室管理システムは、そうした多様なレイアウトに合わせて、柔軟性高く設置することができる。また、守るべき建屋や部屋のセキュリティレベルに応じて、暗証番号など秘密コードの認証手段で済ませる場合や、バイオメトリクスなどの厳格な認証手段を採用する場合など、適用する認証手段も多様である。
【０００４】
こうした入退室管理の技術としては、例えば、入退室状況に応じた多様な入退室経路での入退室管理を実現するとの目的の下、複数のカードリーダの各々での認証を、個々のカードに割り当てられたＩＤコードと、個々の前記カードおよび個々の前記カードリーダの少なくとも一方毎に設定される解錠フラグとの組み合わせによって行うことで、入退室の許可および不許可を決定するとともに、前記解錠フラグの設定状態を前記カードの所有者の入退室状況に応じて動的に変更することを特徴とする入退室管理方法（特許文献１参照）なども提案されている。
【０００５】
また、各認識装置が取り付けられた認識場所と該認識場所から直接移動可能な別の認識場所とを予め対応付けた部屋レイアウトファイルと、各利用者が居るべき所定の居室を登録した居室ファイルと、該認識装置によって実測された実測認識情報及び欠測（入退室管理システムにおいて、カードの読取不良や共連れ等で本来得られるはずの認識情報が得られないこと）した該認識装置の欠測認識情報を保存するための認識情報ファイルと、各利用者の最新の認識場所を保存するための在室状態ファイルと、該最新の認識場所が直前の認識場所から直接移動可能か否かを該部屋レイアウトファイルを参照して判定し、直接移動不可能である場合のみ該部屋レイアウトファイルに基づいて推定される移動経路上の欠測している認識装置を該欠測認識情報に設定するとともに、該最新の認識場所が該所定の居室以外の場合、次に認識されることなく所定時間が経過したとき、該所定の居室が該最新の認識場所であると推定して該最新の認識場所の欠測している認識装置を該欠測認識情報に設定する処理装置と、を備えたことを特徴とする入退室管理装置（特許文献２参照）なども提案されている。
【先行技術文献】
【特許文献】
【０００６】
【特許文献１】特開２０００−２５９９６８号公報
【特許文献２】特開２００３−４４８９１号公報
【発明の概要】
【発明が解決しようとする課題】
【０００７】
しかしながら、入退室管理システムに関して、その設置レイアウトを柔軟性高く構成可能とするならば、システム全体あるいはシステムの一部を変更する場合において、その影響箇所、影響範囲、影響内容などをユーザが把握することは困難となる。
【０００８】
例えば、現状ではビル内の１フロアのみの入退室管理を行っているが、これを変更して、ビル内の全フロアの入退室管理を行うといった状況において、フロア毎にビルテナントが異なる＝入退室管理の権限範囲も異なることなどを踏まえつつ、入退室管理システムにおける管理権限の変更管理等の範囲をユーザが迅速、効率的に把握することは困難である。  
また例えば、入退室管理に使っていたカードリーダを、セキュリティ強化のためにバイオメトリクス認証装置に変更するといった場合に、どの機器をどのように変更すればよいかユーザが迅速、効率的に把握することは困難である。  
また例えば、入退室管理システムの一部の機器が故障した場合に、どういった影響が生じて影響範囲がどこまでか、修理する場合にどの機器を一時停止すべきかなどいった情報を、ユーザが迅速、効率的に把握することは困難である。  
つまり、入退室管理システムに関して設置レイアウトを柔軟性高く構成すると、それ応じてユーザが把握すべき情報について迅速、効率的に提供されることが無かった。
【０００９】
そこで本発明の目的は、入退室管理システムにおける設置レイアウト変更の影響情報を迅速かつ効率的にユーザに提供できる技術を提供することにある。
【課題を解決するための手段】
【００１０】
上記課題を解決する本発明の変更管理分析方法は、入退室管理システムの変更管理による影響を分析する情報処理装置が、以下の処理を実行するものとなる。すなわち、情報処理装置が、所定領域の入退室管理システムを構成する機器のレイアウト情報を記憶部より読み取る処理を実行する。
【００１１】
また前記情報処理装置が、前記レイアウト情報を出力部に表示し、入退室管理システムのレイアウト中での構成の変更場所および変更内容を含む変更シナリオを入力部より受け付ける処理を実行する。
【００１２】
また前記情報処理装置が、前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部に表示する処理を実行する。
【００１３】
また前記情報処理装置が、前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理を実行する。
【００１４】
また、本発明の変更管理分析システムは、入退室管理システムの変更管理による影響を分析する情報処理装置であって、所定領域の入退室管理システムを構成する機器のレイアウト情報を記憶部より読み取る構成情報入力部と、前記レイアウト情報を出力部に表示し、入退室管理システムのレイアウト中での構成の変更場所および変更内容を含む変更シナリオを入力部より受け付ける変更シナリオ入力部と、前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部に表示する影響箇所分析部と、前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する運用シミュレーション部と、を備える。
【００１５】
また、本発明の変更管理分析プログラムは、入退室管理システムの変更管理による影響を分析する情報処理装置に、所定領域の入退室管理システムを構成する機器のレイアウト情報を記憶部より読み取る処理と、前記レイアウト情報を出力部に表示し、入退室管理システムのレイアウト中での構成の変更場所および変更内容を含む変更シナリオを入力部より受け付ける処理と、前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部に表示する処理と、前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、を実行させるプログラムである。
【発明の効果】
【００１６】
本発明によれば、入退室管理システムにおける設置レイアウト変更の影響情報を迅速かつ効率的にユーザに提供できる。
【図面の簡単な説明】
【００１７】
【図１】本実施形態における変更管理分析装置を含むネットワーク構成図である。
【図２】変更管理分析装置の内部構造を示したブロック図である。
【図３】本実施形態におけるテーブルの構造例１を示した図である。
【図４】本実施形態におけるテーブルの構造例２を示した図である。
【図５】本実施形態の変更管理分析方法の処理手順を示したフローチャート図である。
【図６】本実施形態の画面インタフェース例１を示した図である。
【図７】本実施形態の画面インタフェース例２を示した図である。
【図８】本実施形態の画面インタフェース例３を示した図である。
【図９】第２実施例における画面インタフェース例を示した図である。
【図１０】第３実施例における画面インタフェース例を示した図である。
【図１１】第４実施例における画面インタフェース例を示した図である。
【図１２】第５実施例における画面インタフェース例を示した図である。
【発明を実施するための形態】
【００１８】
−−−実施例１−−−
以下、図面を適宜参照しつつ本発明の実施形態について説明する。図１は、変更管理分析装置１を含むシステム全体を示す図である。変更管理分析装置１は、例えば、企業等の建屋に設置されている入退室管理システム１０について、その構成を変更する場合に影響等の分析を行う装置であり、ＰＣなどの情報処理装置を想定する。
【００１９】
この変更管理分析装置１は、例えば、入退室管理システム１０の管理者や、或いはこの管理者に入退室管理システム１０の変更を提案する営業担当者といった変更管理者３０が操作する端末である。この端末は入退室管理システム１０に関する営業活動に大きな力を発揮しやすいものとなるから、可搬型のものであるとなお良い。変更管理分析装置１は、通信回線４１を通じて、入退室管理システム１０と通信可能に接続され、さらに通信回線４０を通じてインターネット２０と接続されている状況を想定する。勿論、ネットワークの種類や通信のプロトコルについては問わない。
【００２０】
一方、入退室管理システム１０は、構成情報テーブル１１、スケジュールテーブル１２、認証情報テーブル１３を有する既存のコンピュータシステムである。入退室管理システム１０はこれらのテーブル１１〜１３を使って、建屋や部屋に出入りする通行者を適宜制限するよう、ドア開閉機構や施錠／解錠などに動作指令を出す。
【００２１】
また、前記インターネット２０上では、入退室管理システム１０の開発ベンダや保守ベンダによって、変更シナリオテーブル２１、運用シナリオテーブル２２、製品情報テーブル２３が管理される状況を想定する。さらに、地図情報テーブル２４は、前記入退室管理システム１０が稼働対象としている建屋等のマップデータを格納したテーブルであり、インターネット２０上で利用可能な地図情報である。勿論、これらテーブル２１〜２４のコピーを定期あるいは不定期に、変更管理分析装置１の記憶部２０３に保持・管理するとしてもよい。変更管理分析装置１がアクセスできるのであれば、テーブル２１〜２４の所在は問わない。
【００２２】
図２は変更管理分析装置１の内部構造を示したブロック図である。続いて、変更管理分析装置１が備える構成、機能について説明する。変更管理分析装置１は、情報処理装置として当然備える、装置の制御やデータの計算・加工を行う中央演算処理装置であるＣＰＵ（Ｃｅｎｔｒａｌ  Ｐｒｏｃｅｓｓｉｎｇ  Ｕｎｉｔ）２０１と、データやプログラムを一時的に記憶しＣＰＵ２０１が直接読み書き可能であるメモリ２０２と、電源を切ってもデータやプログラムが消えないように保存する不揮発性の記憶部２０３と、有線あるいは無線で通信回線４０や通信回線４１と通信を行うための通信部２０４と、変更管理者３０に対しデータの計算・加工の結果をディスプレイなどに表示するための出力部２０５と、変更管理者３０からのキーボード入力やマウス入力などを受け付けるための入力部２０６が、バス２０７で相互に接続されたハードウェア構成をとる。
【００２３】
例えば、前記記憶部２０３にはプログラムとして、構成情報入力部２と、変更シナリオ入力部３と、影響箇所分析部４と、運用シミュレーション部５を保持しており、ＣＰＵ２０１がこれらプログラムを読み出して実行することで、必要な機能の実装が図られる。
【００２４】
以下にプログラムにより実現される変更管理分析装置１の機能部について説明する。前記変更管理分析装置１は、所定領域の入退室管理システム１０を構成する機器のレイアウト情報を入退室管理システム１０（或いは入退室管理システム１０より必要なデータを格納済みの記憶部２０３）より読み取る構成情報入力部２を備える。この実施例における構成情報入力部２は、前記ネットワーク４１を介して入退室管理システム１０にアクセスし、前記構成情報テーブル１１、スケジュールテーブル１２、認証情報テーブル１３を読み取り、インターネット４０を介して前記地図情報テーブル２４を読み取り、これら情報に基づいて入退室管理領域を示す地図上に入退室管理用の機器のアイコン等を配置してレイアウト情報を作成している。
【００２５】
なお、前記構成情報入力部２は、入力部２０６ないしネットワーク４０，４１等で通信可能に結ばれた他装置より、前記製品情報テーブル２３への機器ないし機能の情報追加を受け付けて、前記製品情報テーブル２３を更新するとしてもよい。
【００２６】
また、前記変更管理分析装置１は、前記レイアウト情報を出力部２０５に表示し、入退室管理システム１０のレイアウト中での構成の変更場所および変更内容を含む変更シナリオを入力部２０６より受け付ける変更シナリオ入力部３を備えている。
【００２７】
なお、この変更シナリオ入力部３は、前記レイアウト情報が含む場所情報のリストを、例えばプルダウンメニューなど選択可能に出力部２０５に表示し、この場所リスト中より前記変更場所の選択を受け付け、記憶部２０３に予め保持している変更内容のリストを例えばプルダウンメニューなど選択可能に出力部２０５に表示し、この変更内容リスト中より前記変更内容の選択を受け付けることで、前記変更シナリオを受け付けるとすれば好適である。
【００２８】
ここで、本実施形態の変更シナリオ入力部３は、前記変更場所の選択を受け付ける前記場所情報のリストと、前記変更内容の選択を受け付ける変更内容のリストとを格納している変更シナリオテーブル２１を記憶部２０３に保持している。この場合、変更シナリオ入力部３は、入力部２０６ないしネットワーク４０、４１で通信可能に結ばれた他装置より、前記変更シナリオテーブル２１における前記場所情報のリストへの場所情報追加、ないし前記変更内容のリストへの変更内容追加を受け付けて、前記変更シナリオテーブル２１を更新するとすれば好適である。
【００２９】
また、前記変更管理分析装置１は、前記変更シナリオが機器または機能の追加ないし変更を示す場合、入退室管理システム１０を構成可能な機器の機能情報を格納した製品情報テーブル２３に前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記指定情報が機器または機能の削除を示す場合、前記レイアウト中の前記変更場所の機器の削除を行い、変更構成案として出力部２０５に表示する影響箇所分析部４を備える。
【００３０】
なお、この影響箇所分析部４は、前記変更シナリオが機器または機能の追加ないし変更を示す場合、前記製品情報テーブル２３に前記変更内容を照合し、変更内容の要求を満たす機能を備えた候補機器を複数特定し、候補機器毎に前記レイアウト中の前記変更場所への候補機器の追加または前記変更場所における既存機器と候補機器との置換の表示を行って、前記変更シナリオを満たす変更構成案を複数生成し出力部２０５に表示するとしてもよい。例えば、入退室管理システム１０の変更について営業活動を行っている担当者がこの変更管理分析装置１を携行して客先でシステム提案を行っているとする。こうした状況では、一般的に言って、前記変更構成案を１つのみ提示するより複数提示して顧客側に選択の余地を与えるほうがより好ましいとされている。
【００３１】
また、前記影響箇所分析部４は、各変更構成案が示す追加ないし変更または削除の対象となっている機器について、前記製品情報テーブル２３より追加ないし変更または削除に際しての必要費用のデータを読み出し、この必要費用を変更構成案毎に合算して見積り価格を算定し、該当変更構成案の表示中に出力するとすれば好適である。例えば、ある機器群を追加導入する場合、各機器に関する費用を製品情報テーブル２３より抽出して合算することで前記見積価格を算定するのである。他の作業についても同様である。
【００３２】
また、前記変更管理分析装置１は、前記変更構成案について、運用条件の指定を入力部２０６で受け付け、前記運用条件を前記製品情報テーブル２３における機器の機能情報に適用して前記運用条件下で機器が稼働した際の挙動をシミュレーションし、シミュレーション結果を変更構成案の表示中に出力する運用シミュレーション部５を備える。運用条件としては、例えば、あるゲート（＝場所の条件）において１時間に１０００人の従業員が入退室する（＝運用内容の条件）、といったものが想定できる。従ってこの場合、前記運用シミュレーション部５は、「あるゲート」に設置されている入退室管理用の機器が備える機能、例えば、１回の認証時に必要な処理時間“１秒”について、製品情報テーブル２３より情報を抽出する。そして、「１時間に３０００人の入退室」を処理しようとした場合、“６０×６０／１”＝３６００人＞３０００人と算定し、運用条件を満たせると判定したり、処理にかかる時間を、“３０００／１”＝３０００秒＝５０分と算定することになる。
【００３３】
なお、前記運用シミュレーション部５は、前記変更シナリオに基づく機器の追加ないし置換または削除、或いは前記シミュレーションにより判明した所定の運用条件下での機器の停止ないし交換、のおよぶ影響箇所、影響範囲、およびその影響内容の少なくともいずれかの情報を、前記変更構成案の表示中に強調表示する、とすれば好適である。これは、例えば、機器の入れ替え等で既存の機器の表示が新たな機器の表示に変わるのは勿論のこと、該当箇所を視認しやすくするための処理である。例えば、変更後の機器の表示について、線種を他のものより太くしたり、色やパターンを変える、或いは変更を知らせるテキストやアイコンを配置するなどすればよい。
【００３４】
また、前記運用シミュレーション部５は、前記シミュレーションを各変更構成案について実行し、変更構成案毎のシミュレーション結果を該当変更構成案の表示中に出力し、操作者が最適と判断した変更構成案の指定を入力部２０６で受け付けて、該当変更構成案を最適案として出力部２０５に表示するとすれば好適である。
【００３５】
また、前記運用シミュレーション部５は、前記レイアウト情報が含む場所情報のリストをプルダウンメニュー等で選択可能に表示し、この場所リスト中より前記運用条件のうち場所の選択を受け付け、記憶部２０３に予め保持している運用内容のリストをプルダウンメニュー等で選択可能に表示し、この運用内容リスト中より前記運用条件のうち運用内容の選択を受け付けることで、前記運用条件の指定を受け付けるとすれば好適である。
【００３６】
また、前記運用シミュレーション部５は、前記運用条件のうち場所の選択を受け付ける前記場所情報のリストと、前記運用内容のリストとを格納している運用シナリオテーブル２２を記憶部２０３に保持しているとすれば好適である。この場合、前記運用シミュレーション部５は、入力部２０６ないしネットワーク４０，４１で通信可能に結ばれた他装置より、前記運用シナリオテーブル２２における前記場所情報のリストへの場所情報追加、ないし前記運用内容のリストへの運用内容追加を受け付けて、前記運用シナリオテーブル２２を更新する処理を実行する、とすれば好適である。
【００３７】
−−−テーブル構造例１−−−
次に、入退室管理システム１０が保有する、構成情報テーブル１１、スケジュールテーブル１２、認証情報テーブル１３のデータ構造例について、図３に基づき説明する。構成情報テーブル１１は、管理サーバ、コントローラ、カードリーダ（ＣＲ、Ｃａｒｄ  Ｒｅａｄｅｒ）、電気錠（ＥＫ、Ｅｌｅｃｔｒｏｎｉｃ  Ｋｅｙ）などといった入退室管理システム１０を構成している機器の設置場所情報３１１と、設置機器の種類およびバージョンなどの設置機器情報３１２と、上位ならびに下位に接続している機器の情報たる接続機器情報３１３とを対応付けたレコードの集合体となっている。前記設置場所情報３１１としては、例えば、地図情報データベース２４のどのマップのどこの座標に該当するかを示す“地図”、建屋での所在フロアを示す“階数”、フロア内での所在区画を示す“区画”、ドアの位置を指定する情報たる“ドア”、その“用途”といった項目が想定できる。
【００３８】
また、スケジュールテーブル１２は、年、月、日、曜日、時間帯ごとに、入退室管理システム１０の運行予定を示した運行情報３２１を１シートとし、複数シートからなるデータ構造をもつ。
【００３９】
また、認証情報テーブル１３は、認証用の情報を例えば区画毎に格納したテーブルであり、該当の区画情報３３１、管理者ＩＤ情報３３２、通行者ＩＤ情報３３３を１行とし、複数行からなるテーブル構造のデータをもつ。前記通行者ＩＤ情報３３３は、該当区画での入退室可能な人物に関する情報となる。
【００４０】
−−−テーブル構造例２−−−
続いて、前記インターネット２０に接続され、変更管理分析装置１がアクセス可能な、変更シナリオテーブル２１、運用シナリオテーブル２２、製品情報テーブル２３のデータ構造の一例を図４に沿って説明する。前記変更シナリオテーブル２１は、変更パターン情報４１１と、変更対応情報４１２とを１行とし、複数行からなるテーブル構造のデータをもつ。なお、この変更シナリオテーブル２１における前記変更パターン情報４１１には、変更場所の情報（図中では“場所”）、および変更内容の情報を含んでいる。
【００４１】
前記変更場所の情報としては、例えば、“○○地区のＡビル１Ｆ”、また、前記変更内容の情報としては、例えば、“ドアとカードリーダ追加”といったものがあげられる。変更内容としては、例えば、ドアの追加、機器の変更、他システムとの連携、および任意の要求、などが想定できる。また、前記変更対応情報４１２は、前記影響箇所分析部４が前記製品情報テーブル２３に前記変更内容を照合し、この変更内容の要求を満たす機能を備えた候補機器を特定した結果内容が設定される。
【００４２】
また、前記運用シナリオテーブル２２は、運用パターン情報４２１と、運用シミュレーション情報４２２とを１行とし、複数行からなるテーブル構造のデータをもつ。前記運用パターン情報としては、例えば、ドアやゲートなどを指定する“場所”の条件と、「通行ラッシュ」といった運用内容の条件とが想定できる。この運用内容の条件に応じたシミュレーション内容については前記運用シミュレーション情報４２２にて、例えば、“１時間に１０００人の従業員が入退室する”などと設定されている。
【００４３】
なお、この運用シナリオテーブル２２において、前記運用内容のリストとして、多頻度の入退処理時の状況を推定する選択肢である通行ラッシュ、所定期間のログ保管に要するリソースを推定する選択肢であるログ保管期間、ネットワークを介して他装置よりログを収集して表示するに要する時間を推定する選択肢であるログ表示時間、所定処理を行った際のネットワーク使用率を推定する選択肢であるネットワーク使用率、カードリーダのコントローラにユーザＩＤリストを配信するのに要する時間を推定する選択肢であるカードＩＤ配信、他の機器や機能の故障に伴って停止ないし交換が必要となる機器の推定をする選択肢である故障対応、部署や地域の間で異なる休日に対応して稼働した場合の機器の稼働状況の推定をする選択肢である休日変更、人事異動に伴って生じる処理人数の変化に対応して稼働した場合の機器の稼働状況の推定をする選択肢である人事異動、テナント間で異なる入退管理の権限が変更された場合の機器の稼働状況の推定をする選択肢である管理者変更、などが想定できる。
【００４４】
また、前記製品情報テーブル２３は、入退室管理システム１０に適用可能な機器の情報を格納したテーブルであり、機器種別情報４３１、対応可能な変更内容４３１ａ、接続機器情報４３２、オプション機能情報４３３、価格情報４３４を１行とし、複数行からなるテーブル構造のデータをもつ。前記機器種別情報４３１には、例えば、機器のＩＤないし名称、およびバージョンの各情報が含まれる。また、前記対応可能な変更内容４３１ａは、例えば該当機器が備える機能であって前記変更シナリオテーブル２１の変更内容に対応可能なものについて記述した情報を含んでいる。また、前記接続機器情報４３２には、該当機器に接続される機器の情報が含まれる。また、前記オプション機能情報４３３には、例えば、該当機器が具備可能なオプション機能の情報が含まれる。また、前記価格情報４３４には、該当機器の導入費用の情報が含まれる。
【００４５】
−−−処理フロー例−−−
以上説明してきた変更管理分析装置１の機能や利用可能なテーブル類の説明を踏まえつつ、本実施形態の変更管理分析方法の処理手順について、図５〜図９を用いて説明する。図５は、本実施形態の変更管理分析方法の処理手順を示したフローチャートである。ここでは例えば、前記変更管理者３０が情報処理装置たる変更管理分析装置１を起動し、変更管理分析の処理が開始されたとする。
【００４６】
この時まず、構成情報入力部２は、前記ネットワーク４１を介して入退室管理システム１０にアクセスし、前記構成情報テーブル１１、スケジュールテーブル１２、認証情報テーブル１３を読み取り、インターネット４０を介して前記地図情報テーブル２４を読み取る（ステップ５０１）。
【００４７】
また前記構成情報入力部２は、前記ステップ５０１で読み取った情報に基づいて、入退室管理領域を示す地図（＝地図情報テーブル２４から取得したマップデータ）上に、入退室管理用の機器のアイコン等を、該当機器の設置場所情報３１１が示す位置（マップ上の座標値など）に配置してレイアウト情報を作成し、出力部２０５に表示する（ステップ５０２）。これにより、前記管理責任者３０は入退室管理システム１０がどのようなレイアウトになっているのか＝機器がどのように配置されているのか確認し、レイアウトの編集を行うことができる。つまり、構成情報入力部２は、前記出力部２０５に表示したレイアウト情報を介して、前記管理責任者３０によるレイアウト編集の作業を受け付けることになる。
【００４８】
図６（ａ）に、レイアウト編集における画面インタフェース６００の一例を示す。この画面インタフェース６００は、該当要素の編集のためのボタン群６０１と、設置レイアウトの描画領域６０２とからなる。図６（ａ）に示す一例では、「区画１」と「区画２」をもつフロアにおいて、「区画１」の出入口に「ドア１」が、「区画２」の出入口に「ドア２」が配置されている。さらに、「ドア１」には電気錠「ＥＫ１」が備えられており、人が「区画１」に入室する際に使用するカードリーダ「ＣＲ１」と、「区画１」から退室する際に使用するカードリーダ「ＣＲ２」が設置されている。「ＥＫ１」と「ＣＲ１」と「ＣＲ２」は「コントローラ１」にシリアルケーブルで接続されている。「コントローラ１」は、ＬＡＮケーブルで「管理サーバ１」に接続されている。
【００４９】
なお、前記構成情報入力部２は、こうしたレイアウトを作成するのに、構成情報テーブル１１における設置場所情報３１１だけで不足する場合、設置機器情報３１２を読み出して出力部２０５に表示し、それら設置機器の設置場所や接続方法について、前記変更管理者３０による入力部２０６を通じた指定を受けるとしても良い。
【００５０】
続いて、前記変更シナリオ入力部３は、上述のように出力部２０５で表示しているレイアウト上で、構成の変更場所および変更内容を含む変更シナリオの入力を入力部２０６より受け付ける（ステップ５０３）。なお、前記変更シナリオ入力部３は、入力部２０６ないしネットワーク４０、４１で通信可能に結ばれた他装置より、前記変更シナリオテーブル２１における前記場所情報のリストへの場所情報追加、ないし前記変更内容のリストへの変更内容追加を受け付けて、前記変更シナリオテーブル２１を更新するとしてもよい。こうした処理により、ユーザの選択肢が増えることにつながる。
【００５１】
図６（ｂ）に、前記ステップ５０３での変更シナリオ入力における画面インタフェース６１０の一例を示す。この画面インタフェース６１０は、シナリオ入力のためのボタン群６１１と、設置レイアウトの指定領域６１２とからなる。図６（ｂ）に示す例では、シナリオ入力のためのボタン群６１１の中から「ドア追加」がクリックされたとする。この時、変更シナリオ入力部３は、変更場所のリストをプルダウンメニュー等で表示し、例えば「区画２」の出入り口について前記管理責任者３０から選択を受けたとする。これを受けた変更シナリオ入力部３は、前記所定箇所に「ドア２」のアイコンデータを読み出して描画する。またこの「ドア２」がクリックされたとする。この場合、前記変更シナリオ入力部３は、指定領域６１２において前記「ドア２」を矩形６１３で囲む描画処理を行う。またこの矩形６１３がクリックされたならば、変更シナリオ入力部３は、例えばデバイスの変更内容リストをポップアップさせるなどし、「ＥＫ追加」、入室用の「ＣＲ追加」、退室用の「ＣＲ追加」といった変更内容の指定を前記リスト中から受け付ける。
【００５２】
続いて、前記影響箇所分析部４は、前記変更シナリオが機器または機能の追加ないし変更を示す場合、前記製品情報テーブル２３に前記変更内容を照合し、変更内容の要求を満たす機能を備えた適用可能製品＝候補機器を特定する（ステップ５０４）。さらに影響箇所分析部４は、前記レイアウト中の前記変更場所への候補機器の追加、または前記変更場所における既存機器と候補機器との置換の表示を行って、変更構成案を生成し出力部２０５上に表示する（ステップ５０５）。なお、前記指定情報が機器または機能の削除を示す場合、前記影響箇所分析部４は、前記レイアウト中の前記変更場所の機器の削除を行い、変更構成案として出力部２０５に表示する。
【００５３】
図７（ｃ−１）と（ｃ−２）および図８（ｃ−３）に変更構成案の画面インタフェース７００、７１０、８００の一例を示す。前記画面インタフェース７００は、変更構成案の一覧を示すタブ一覧７０１と、変更後のレイアウトの描画領域７０２と、価格見積りボタン７０３とからなる。この図７（ｃ−１）に示す一例では、変更構成の案１として、「ドア２」に「ＥＫ２」と「ＣＲ３」と「ＣＲ４」を新設し、それらにシリアル接続する「コントローラ２」を新設し、「コントローラ２」をＬＡＮ接続で既設の「管理サーバ１」に接続する、というレイアウトになっている。この例では、新設される「ＥＫ２」、「ＣＲ３」、「ＣＲ４」、「コントローラ２」に関しては影響箇所となるから、その表示について太線とするなど強調表示している。他の例でも同様である。
【００５４】
また、図７（ｃ−２）に示す一例では、変更構成の案２として、既設の「コントローラ１」を新たに「コントローラ３」に変更し、「ドア２」に「ＥＫ２」と「ＣＲ３」と「ＣＲ４」を新設し、それらを新設の「コントローラ３」にシリアル接続し、新設の「コントローラ３」をＬＡＮ接続で既設の「管理サーバ１」に接続する、というレイアウトになっている。
【００５５】
また、図８（ｃ−３）に示す一例では、変更構成の案３として、既設の「コントローラ１」を新たに「コントローラ４」に変更し、「ドア２」に「ＥＫ２」と「ＣＲ３」と「ＣＲ４」を新設し、それらを新設の「コントローラ４」にシリアル接続し、さらに既設の「管理サーバ１」の代わりにＷｅｂブラウザで入退室の管理ができる、という設置レイアウトになっている。
【００５６】
つまり、前記図６（ｂ）の変更シナリオ入力で、「ＥＫ」、入室用「ＣＲ」、退室用「ＣＲ」を追加するとしたことに応じて、影響箇所分析部４が、こうした機器を追加するにあたって、当該機器を稼働させるに必要なコントローラの仕様を製品情報テーブル２３で検索し、「コントローラ２」、「コントローラ３」。「コントローラ４」の３種を特定できた状況を示している。「コントローラ３」、「コントローラ４」はコントロールできる機器の数が「コントローラ１」や「コントローラ２」の２倍の仕様となっているため、既存のコントローラをリプレース可能で、図７（ｃ−２）、図８（ｃ−３）に示すレイアウトとなっている。
【００５７】
例えば、入退室管理システム１０の変更について営業活動を行っている担当者＝前記管理責任者３０がこの変更管理分析装置１を携行して客先でシステム提案を行っているとする。こうした状況では、一般的に言って、前記変更構成案を１つのみ提示するよりも、上述の図７（ｃ−１）、（ｃ−２）、および図８（ｃ−３）のように複数提示して顧客側に選択の余地を与えるほうが、顧客としては選択がしやすいし、営業担当側としては比較論でシステムを提案できるため成約に結びつけやすいといった利点がある。
【００５８】
なお、前記影響箇所分析部４は、図７（ｃ−１）らの変更構成案の画面インタフェース上で、価格見積りボタン７０３が押下された場合、該当する変更構成案のレイアウトに変更した場合の見積額を算定して表示することになる。この処理に際し影響箇所分析部４は、該当変更構成案が示す追加ないし変更または削除の対象となっている機器について、前記製品情報テーブル２３より追加ないし変更または削除に際しての必要費用のデータを読み出し、この必要費用を該当変更構成案に関して合算して見積り価格を算定する。算定した見積額の情報は、該当変更構成案の表示中に出力するとすれば好適である。
【００５９】
続いて、前記運用シミュレーション部５は、前記変更構成案について、運用条件の指定を入力部２０６で受け付け、前記運用条件を前記製品情報テーブル２３における機器の機能情報に適用して前記運用条件下で機器が稼働した際の挙動をシミュレーションし、シミュレーション結果を変更構成案の表示中に出力する（ステップ５０６）。
【００６０】
前記運用条件としては、例えば、あるドア（＝場所の条件）において「通行ラッシュ」＝１時間に１０００人の従業員が入退室する（＝運用内容の条件）、といったものが想定できる。従ってこの場合、前記運用シミュレーション部５は、例えば「ドア２」に設置されている例えばカードリーダ「ＣＲ４」が備える機能、例えば、１回の認証時に必要な処理時間“１秒”について、製品情報テーブル２３より情報を抽出する。そして、「１時間に３０００人の入退室」を処理しようとした場合、“６０×６０／１”＝３６００人＞３０００人と算定し、運用条件を満たせると判定したり、処理にかかる時間を、“３０００／１”＝３０００秒＝５０分と算定することになる。こうした結果は該当変更構成案の表示中に出力される。
【００６１】
図８（ｄ）に、運用シミュレーション時における画面インタフェース８１０の一例を示す。この画面インタフェース８１０は、運用条件のうち運用内容の入力に使うボタン群８１１と、運用条件のうち場所の条件の入力および結果確認のための描画領域８１２とからなる。図８（ｄ）に示す一例では、運用内容としてボタン群８１１から「ログ保管期間」がクリックされ、前記描画領域８１２で「ドア１」が指定されたとする。これを受けた運用シミュレーション部５は、前記「ログ保管期間」なる運用内容に対応した運用シミュレーション情報として、ログ保管期間の長さおよび入退室頻度の指定を入力部２０６で受け付ける。また、前記運用シミュレーション部５は、「ドア１」の表示に対し、運用シミュレーション情報として「入退室ログを１年（＝保管期間の長さ）保管したい。１日に１０名通行する（＝入退室頻度）場合に、ストレージは何ＧＢ必要か？」といった情報を表示させる。当然ながら、前記運用シミュレーション部５は、こうした運用条件に応じた前記ステップ５０６のシミュレーションを実行する。
【００６２】
また同様に、運用内容として前記ボタン群８１１から「通行ラッシュ」がクリックされ、前記描画領域８１２で「ドア２」が指定されたとする。これを受けた運用シミュレーション部５は、前記「通行ラッシュ」なる運用内容に対応した運用シミュレーション情報として、ラッシュとなる時間帯および入退室頻度の指定を入力部２０６で受け付ける。また、前記運用シミュレーション部５は、「ドア２」の表示に対し、運用シミュレーション情報として「朝１時間のうちに（＝ラッシュの時間帯）社員１０００名が通行する（＝入退室頻度）場合に、待ち時間はどれくらいか？」といった情報を表示させる。当然ながら、前記運用シミュレーション部５は、こうした運用条件に応じた前記ステップ５０６のシミュレーションを実行する。
【００６３】
前記変更管理者３０は、変更構成案における所定の運用条件下での運用シミュレーションの結果を閲覧し、変更構成案に関する問題の有無などについて判断し、判断結果を入力部２０６で入力する。運用シミュレーション部５は、前記判断結果を受け付けて、その内容を判定する（ステップ５０７）。もし、問題がないとの判断結果であったならば（ステップ５０７：問題なし）、前記運用シミュレーション部５は、その変更構成案を最適案として、電子ファイル、紙文書、その他、蓄積可能な手段により出力する（ステップ５０８）。他方、問題があるとの判断結果であったならば（ステップ５０７：問題あり）、前記運用シミュレーション部５は、ふたたび前記ステップ５０５に処理を戻し、他の変更構成案に関して運用条件下でのシミュレーションを実行し、問題の有無を再度確認する。
【００６４】
なお、前記運用シミュレーション部５は、前記変更シナリオに基づく機器の追加ないし置換または削除、或いは前記シミュレーションにより判明した所定の運用条件下での機器の停止ないし交換、のおよぶ影響箇所、影響範囲、およびその影響内容の少なくともいずれかの情報を、前記変更構成案の表示中に強調表示する、とすれば好適である。これは、例えば、機器の入れ替え等で既存の機器の表示が新たな機器の表示に変わるのは勿論のこと、該当箇所を視認しやすくするための処理である。例えば、変更後の機器の表示について、線種を他のものより太くしたり、色やパターンを変える、或いは変更を知らせるテキストやアイコンを配置するなどすればよい。
【００６５】
また、前記運用シミュレーション部５は、前記運用条件のうち場所の選択を受け付ける前記場所情報のリストと、前記運用内容のリストとを格納している運用シナリオテーブル２２を記憶部２０３に保持しているとすれば好適である。この場合、前記運用シミュレーション部５は、入力部２０６ないしネットワーク４０，４１で通信可能に結ばれた他装置より、前記運用シナリオテーブル２２における前記場所情報のリストへの場所情報追加、ないし前記運用内容のリストへの運用内容追加を受け付けて、前記運用シナリオテーブル２２を更新する処理を実行する、とすれば好適である。
【００６６】
−−−実施例２−−−
実施例２では、入退室管理システム１０の変更として、認証方法を変更する場合を述べる。実施例２における変更管理分析装置１の構成、テーブル等のデータ構造、フローチャートは、上記実施例１と同様である。また、画面インタフェースとして、設置レイアウトの編集画面（図６）、運用シミュレーションの画面（図８（ｄ））も実施例１と同様である。
【００６７】
図９（ｂ）に、実施例２における、変更シナリオ入力の画面インタフェース９００の一例を、図９（ｃ）に、変更構成案確認の画面インタフェース９１０の一例を示す。前記画面インタフェース９００では、変更シナリオとして、「ドア１」の出入口における認証装置を、カードリーダから生体情報リーダに変更する場合を示している。この場合、管理責任者３０は、シナリオ入力のためのボタン群９０１のうち「デバイス変更」をクリックして、レイアウトの指定領域９０２上で「ドア１」をクリックし、「生体リーダに変更する」旨を入力することとなる。一方、影響箇所分析部４は、こうした変更シナリオの指定に応じた機器候補の選定を実施例１と同様に行う。
【００６８】
また、前記画面インタフェース９１０では、影響箇所分析部４が特定した変更構成案として、カードリーダ「ＣＲ１」を「生体リーダ１」に変更した場合の設置レイアウトを描画領域９１１に表示している。ここでは、「管理サーバ２」と、「コントローラ２」と、「生体リーダ１」とを新設し、新設の「コントローラ２」は、既設の「ＥＫ１」と「ＣＲ２」および新設の「生体リーダ１」とシリアル接続し、新設の「コントローラ２」と新設の「管理サーバ２」をＬＡＮ接続するという設置レイアウトが表示されている。
【００６９】
前記変更管理者３０は、画面インタフェース９１０を確認することで、現在の設置レイアウトのうち、どの機器をどのように変更すれば良いかを迅速かつ容易に把握することができる。
【００７０】
−−−実施例３−−−
実施例３では、入退室管理システム１０の変更として、監視カメラ連携を行う場合を述べる。実施例３における変更管理分析装置１の構成、テーブル類のデータ構造、フローチャートは、実施例１と同様である。また、画面インタフェースとして、設置レイアウトの編集画面（図６）、運用シミュレーションの画面（図８（ｄ））も実施例１と同様である。
【００７１】
図１０（ｂ）に、実施例３における、変更シナリオ入力の画面インタフェース１０００の一例を、図１０（ｃ）に、変更構成案確認の画面インタフェース１０１０の一例を示す。前記画面インタフェース１０００では、変更シナリオとして、「ドア１」の出入口において、共連れを防ぎたい場合を示している。この場合、管理責任者３０は、シナリオ入力のためのボタン群１００１のうち「任意要求」ボタンをクリックし、レイアウトの指定領域１００２上で「ドア１」をクリックし、「共連れ防止したい」旨を入力することになる。一方、影響箇所分析部４は、こうした変更シナリオの指定に応じた機器候補の選定を実施例１と同様に行う。
【００７２】
また、前記画面インタフェース１０１０では、影響箇所分析部４が特定した変更構成案として、「監視カメラ１」を新設し、この新設の「監視カメラ１」を既設の「コントローラ１」にシリアル接続し、既設の「コントローラ１」で「設定変更」をすれば良いことを描画領域９１１に表示している。具体的な設定変更の内容は、「設定変更」１０１２の表示領域に紐付けて、変更管理分析装置１の記憶部２０３で管理している。管理責任者３０が前記「設定変更」１０１２をクリックすると、変更管理分析装置１は設定内容の情報を出力部２０５に表示する。
【００７３】
変更管理者３０は、画面インタフェース１０１０を確認することで、現在の設置レイアウトから、新たにどのような機器をどこに設置すれば良いか、またそれに必要となる設定変更は何かを、迅速かつ容易に把握することができる。
【００７４】
−−−実施例４−−−
実施例４では、入退室管理システム１０の運用シミュレーションとして、カードリーダが故障した時の影響範囲を分析する場合を述べる。実施例４における変更管理分析装置１の構成、テーブル類のデータ構造、フローチャートは、実施例１と同様である。また、画面インタフェースとして、レイアウトの編集画面（図６）、変更シナリオの入力画面（図６（ｂ））、変更構成案の確認画面（図７（ｃ−１）、（ｃ−２）、図８（ｃ−３））も実施例１と同様である。
【００７５】
図１１（ｄ−１）、（ｄ−２）に、実施例４における、運用シミュレーションの画面インタフェース１１００、１１１０の一例を示す。前記画面インタフェース１１００では、案１の変更構成案（図７（ｃ−１））についてシミュレーションを行った結果を示している。この画面にて、管理責任者３０が、運用条件の入力に使うボタン群１１０１のうち「故障対応」ボタンをクリックし、「ＣＲ１」の表示領域をクリックしたとする。すると、前記運用シミュレーション部５は、「ＣＲ１」をコントロールしている「コントローラ１」の情報を前記製品情報テーブル２３から読み出して、例えば、接続したカードリーダの故障交換時に、自身と自身がコントロールする機器の停止が必要となることが規定されていたとする。すると前記運用シミュレーション部５は、前記「ＣＲ１」の故障により、「コントローラ１」、「ＥＫ１」、「ＣＲ２」の表示近傍に、機器交換にあたって停止が必要となる旨＝“停止必要”との表示をする（影響内容の表示に該当）。なお図の例では、「ドア２」の出入口周辺にある、「ＥＫ２」、「ＣＲ３」、「ＣＲ４」は影響がないとして、何も表示されない。
【００７６】
また、画面インタフェース１１１０では、案２の変更構成案（図７（ｃ−２））についてシミュレーションを行った結果を示している。この画面にて、上記同様に管理責任者３０が「故障対応」ボタンをクリックし、「ＣＲ１」の表示領域をクリックしたとする。すると、前記運用シミュレーション部５は、「ＣＲ１」をコントロールしている「コントローラ３」の情報を前記製品情報テーブル２３から読み出して、例えば、接続したカードリーダの故障交換時に、自身と自身がコントロールする機器の停止が必要となることが規定されていたとする。すると前記運用シミュレーション部５は、前記「ＣＲ１」の故障により、「コントローラ３」、「ＥＫ１」、「ＣＲ２」、「ＥＫ２」、「ＣＲ３」、「ＣＲ４」、の表示近傍に、機器交換にあたって停止が必要となる旨＝“停止必要”との表示をする（影響内容の表示に該当）。
【００７７】
変更管理者３０は、画面インタフェース１１００と画面インタフェース１１１０とを見比べることで、ＣＲ１が故障した場合に、案１の変更構成案と、案２の変更構成案とで、どこにどのような影響がでるのか、迅速かつ容易に把握することができる。
【００７８】
−−−実施例５−−−
実施例５では、入退室管理システム１０の運用シミュレーションとして、カードＩＤを全コントローラに配信する状況をシミュレートする場合を述べる。実施例５における変更管理分析装置１の構成、テーブル類のデータ構造、フローチャートは、実施例１と同様である。また、画面インタフェースとして、レイアウトの編集画面（図６（ａ））、変更シナリオの入力画面（図６（ｂ））、変更構成案の確認画面（図７（ｃ−１）、（ｃ−２）、図８（ｃ−３））、も実施例１と同様である。
【００７９】
図１２（ｄ）に、実施例５における、運用シミュレーションの画面インタフェース１２００の一例を示す。この画面インタフェース１２００で、前記管理責任者３０が、運用条件の入力の使うボタン群１２０１のうち「カードＩＤ配信」ボタンをクリックし、運用条件入力および結果確認のための描画領域１２０２上で、運用シミュレーションの情報を入力したとする。すると、前記運用シミュレーション部５は、例えばカードＩＤの配信元たる「管理サーバ１」と、配信先たる「コントローラ３」、「コントローラ４」、「コントローラ５」がそれぞれ備える通信機能（単位時間あたりのデータ通信量など）、などについて、製品情報テーブル２３より情報を抽出する。そして、「１０００人」のカードＩＤ配信を行おうとした場合、ひとり当たりのカードＩＤのデータサイズ×該当コントローラへの配信人数、を前記管理サーバ１と該当コントローラとのうちで低いほうの通信機能で除算して、カードＩＤ配信終了までの時間を計算し、例えば前記描画領域１２０２に表示する。こうした必要な配信時間の他、配信中にＬＡＮ（サーバ１とコントローラとの間を結ぶもの）にかかる負荷を計算するとしてもよい。この負荷計算は、例えば、製品情報テーブル２３に記述されたＬＡＮの帯域幅の数値のうち、サーバ１と各コントローラとの間の通信量の総和で占める割合を算定すればよい。
【００８０】
変更管理者３０は、画面インタフェース１２００を確認することで、変更後の設置レイアウトにおける、カードＩＤ配信のシミュレーション結果を、迅速かつ容易に把握することができる。
【００８１】
以上、本発明を実施するための最良の形態などについて具体的に説明したが、本発明はこれに限定されるものではなく、その要旨を逸脱しない範囲で種々変更可能である。
【００８２】
こうした本実施形態によれば、入退室管理システムにおける設置レイアウト変更の影響情報を迅速かつ効率的にユーザに提供できることとなる。
【００８３】
本明細書の記載により、少なくとも次のことが明らかにされる。すなわち、前記変更管理分析方法において、情報処理装置が、前記変更シナリオに基づく機器の追加ないし置換または削除、或いは前記シミュレーションにより判明した所定の運用条件下での機器の停止ないし交換、のおよぶ影響箇所、影響範囲、およびその影響内容の少なくともいずれかの情報を、前記変更構成案の表示中に強調表示する、としてもよい。
【００８４】
また、前記変更管理分析方法において、前記情報処理装置が、前記変更シナリオが機器または機能の追加ないし変更を示す場合、前記製品情報テーブルに前記変更内容を照合し、変更内容の要求を満たす機能を備えた候補機器を複数特定し、候補機器毎に前記レイアウト中の前記変更場所への候補機器の追加または前記変更場所における既存機器と候補機器との置換の表示を行って、前記変更シナリオを満たす変更構成案を複数生成し出力部に表示する処理と、前記シミュレーションを各変更構成案について実行し、変更構成案毎のシミュレーション結果を該当変更構成案の表示中に出力する処理と、操作者が最適と判断した変更構成案の指定を入力部で受け付けて、該当変更構成案を最適案として出力部に表示する処理とを実行する、としてもよい。
【００８５】
また、前記変更管理分析方法において、前記情報処理装置が、各変更構成案が示す追加ないし変更または削除の対象となっている機器について、前記製品情報テーブルより追加ないし変更または削除に際しての必要費用のデータを読み出し、この必要費用を変更構成案毎に合算して見積り価格を算定し、該当変更構成案の表示中に出力する処理を実行する、としてもよい。
【００８６】
また、前記変更管理分析方法において、前記情報処理装置が、前記レイアウト情報が含む場所情報のリストを選択可能に表示し、この場所リスト中より前記変更場所の選択を受け付け、記憶部に予め保持している変更内容のリストを選択可能に表示し、この変更内容リスト中より前記変更内容の選択を受け付けることで、前記変更シナリオを受け付ける処理と、前記レイアウト情報が含む場所情報のリストを選択可能に表示し、この場所リスト中より前記運用条件のうち場所の選択を受け付け、記憶部に予め保持している運用内容のリストを選択可能に表示し、この運用内容リスト中より前記運用条件のうち運用内容の選択を受け付けることで、前記運用条件の指定を受け付ける処理と、を実行するとしてもよい。
【００８７】
また、前記変更管理分析方法において、前記情報処理装置が、前記変更場所の選択を受け付ける前記場所情報のリストと、前記変更内容の選択を受け付ける変更内容のリストとを格納している変更シナリオテーブルを記憶部に保持しており、入力部ないしネットワークで通信可能に結ばれた他装置より、前記変更シナリオテーブルにおける前記場所情報のリストへの場所情報追加、ないし前記変更内容のリストへの変更内容追加を受け付けて、前記変更シナリオテーブルを更新する処理を実行する、としてもよい。
【００８８】
また、前記変更管理分析方法において、前記情報処理装置が、入力部ないしネットワークで通信可能に結ばれた他装置より、前記製品情報テーブルへの機器ないし機能の情報追加を受け付けて、前記製品情報テーブルを更新する処理を実行する、としてもよい。
【００８９】
また、前記変更管理分析方法において、前記情報処理装置が、前記運用条件のうち場所の選択を受け付ける前記場所情報のリストと、前記運用内容のリストとを格納している運用シナリオテーブルを記憶部に保持しており、入力部ないしネットワークで通信可能に結ばれた他装置より、前記運用シナリオテーブルにおける前記場所情報のリストへの場所情報追加、ないし前記運用内容のリストへの運用内容追加を受け付けて、前記運用シナリオテーブルを更新する処理を実行する、としてもよい。
【００９０】
なお、前記情報処理装置が、前記記憶部の変更シナリオテーブルにおいて、前記変更内容のリストとして、ドアの追加、機器の変更、他システムとの連携、および任意の要求、の少なくともいずれかを記憶しており、ドアの追加、機器の変更、他システムとの連携、および任意の要求、の少なくともいずれかの選択肢を含んだ変更内容のリストを表示し、当該リスト中より前記変更内容の選択を受け付ける、としてもよい。
【００９１】
また、前記情報処理装置が、前記記憶部の運用シナリオテーブルにおいて、前記運用内容のリストとして、多頻度の入退処理時の状況を推定する選択肢である通行ラッシュ、所定期間のログ保管に要するリソースを推定する選択肢であるログ保管期間、ネットワークを介して他装置よりログを収集して表示するに要する時間を推定する選択肢であるログ表示時間、所定処理を行った際のネットワーク使用率を推定する選択肢であるネットワーク使用率、カードリーダのコントローラにユーザＩＤリストを配信するに要する時間を推定する選択肢であるカードＩＤ配信、他の機器や機能の故障に伴って停止ないし交換が必要となる機器の推定をする選択肢である故障対応、部署や地域の間で異なる休日に対応して稼働した場合の機器の稼働状況の推定をする選択肢である休日変更、人事異動に伴って生じる処理人数の変化に対応して稼働した場合の機器の稼働状況の推定をする選択肢である人事異動、テナント間で異なる入退管理の権限が変更された場合の機器の稼働状況の推定をする選択肢である管理者変更、の少なくともいずれかを記憶しているとしてもよい。
【００９２】
この場合、前記情報処理装置は、前記の通行ラッシュ、ログ保管期間、ログ表示時間、ネットワーク使用率、カードＩＤ配信、故障対応、休日変更、人事異動、管理者変更、の少なくともいずれかの選択肢を含んだ運用内容のリストを表示し、当該リスト中より前記運用内容の選択を受け付ける、とすれば好適である。
【符号の説明】
【００９３】
１  変更管理分析装置
２  構成情報入力部
３  変更シナリオ入力部
４  影響箇所分析部
５  運用シミュレーション部
１０  入退室管理システム
１１  構成情報テーブル（レイアウト情報）
１２  スケジュールテーブル
１３  認証情報テーブル
２０  インターネット
２１  変更シナリオテーブル
２２  運用シナリオテーブル
２３  製品情報テーブル
２４  地図情報テーブル
３０  変更管理者
４０、４１  通信回線
２０１  ＣＰＵ
２０２  メモリ
２０３  記憶部
２０４  通信部
２０５  出力部
２０６  入力部
２０７  バス
３１０  構成情報テーブル（レイアウト情報）
３２０  スケジュールテーブル
３３０  認証情報テーブル
４１０  変更シナリオテーブル
４２０  運用シナリオテーブル
４３０  製品情報テーブル
【図１】
2011227774.tif 000003
【図２】
2011227774.tif 000004
【図３】
2011227774.tif 000005
【図４】
2011227774.tif 000006
【図５】
2011227774.tif 000007
【図６】
2011227774.tif 000008
【図７】
2011227774.tif 000009
【図８】
2011227774.tif 000010
【図９】
2011227774.tif 000011
【図１０】
2011227774.tif 000012
【図１１】
2011227774.tif 000013
【図１２】
2011227774.tif 000014